(57)【特許請求の範囲】
【請求項１】
撮影した複数の画像を重ね合わせた合成画像を生成して記録媒体に記録するための多重露出撮影モードを有する撮像装置であって、
多重露出撮影モードにおいて、撮影画像の撮影後に、撮影した画像を確認するための多重露出撮影確認表示を表示手段に自動的に表示させる確認表示手段であって、前記多重露出撮影確認表示として、前記撮影画像と既に撮影済みの画像とを重ね合わせた合成画像を表示するように制御する確認表示手段と、
画像の一部領域を拡大画像として前記表示手段に表示するように制御する拡大表示手段と、を有し、
前記多重露出撮影確認表示は、複数の確認表示モードを有し、
前記多重露出撮影確認表示において拡大画像を表示することが可能であり、前記拡大表示手段は、第１の確認表示モードの場合は、前記合成画像の一部領域を拡大画像として表示させ、第２の確認表示モードの場合は、前記合成画像ではなく前記撮影画像の一部領域を拡大画像として表示することを特徴とする撮像装置。
【請求項２】
前記第２の確認表示モードは、フォーカスを確認するための表示モードであることを特徴とする請求項１に記載の撮像装置。
【請求項３】
前記確認表示中に、前記確認表示モードを切り替えるための、表示モード切り換え手段を有することを特徴とする請求項１または２に記載の撮像装置。
【請求項４】
前記拡大表示手段は、前記多重露出撮影確認表示において、所定の拡大操作を受け付けたことに応じて、前記拡大画像を表示させることを特徴とする請求項１ないし３のいずれか１項に記載の撮像装置。
【請求項５】
前記撮像装置の撮影モードを判定する判定手段を有し、
前記拡大表示手段は、判定された撮影モードと前記多重露出撮影確認表示の表示モードとに応じて、拡大画像として前記合成画像の一部領域を表示するかまたは前記撮影画像の一部領域を表示するかを切り換えることを特徴とする請求項１ないし４のいずれか１項に記載の撮像装置。
【請求項６】
画像を一時的に記憶するための一時記憶手段を有し、
前記一時記憶手段は、前記多重露出撮影確認表示の確認表示モードに関わらず、前記撮影画像と前記合成画像とを前記一時記憶手段に一時的に記憶するように制御することを特徴とする請求項１ないし５のいずれか１項に記載の撮像装置。
【請求項７】
撮像装置において多重露出撮影モードで撮影した画像を表示する表示装置の制御方法であって、
前記撮像装置において撮影した画像を取得する取得手段と、
前記撮像装置において、前記多重露出撮影モードで撮影画像を撮影した後に、撮影した画像を確認するための多重露出撮影確認表示を表示装置に自動的に表示させる確認表示工程であって、前記多重露出撮影確認表示として、前記撮影画像と既に撮影済みの画像とを重ね合わせた合成画像を表示させる確認表示工程とを有し、
前記多重露出撮影確認表示は、複数の確認表示モードを有し、
前記多重露出撮影確認表示において、画像の一部領域を拡大画像として前記表示装置に表示させることが可能であり、
前記確認表示工程では、第１の確認表示モードの場合は、前記合成画像の一部領域を拡大画像として表示させ、第２の確認表示モードの場合は、前記合成画像ではなく前記撮影画像の一部領域を拡大画像として表示することを特徴とする表示装置の制御方法。
【請求項８】
前記第２の確認表示モードは、フォーカスを確認するための表示モードであることを特徴とする請求項７に記載の表示装置の制御方法。
【請求項９】
請求項７または請求項８の表示装置の制御方法をコンピュータに実行させるためのプログラム。
【請求項１０】
請求項９のプログラムを記憶したコンピュータが読み取り可能な記憶媒体。
【発明の詳細な説明】
【技術分野】
【０００１】
本発明は、撮像装置、表示装置の制御方法ならびにプログラムに関し、特に多重露出撮影により得られた画像の表示技術に関する。
【背景技術】
【０００２】
複数の画像ファイルや複数回の撮影を行って得られた複数の画像信号を加算処理して、あるいはさらにこれらと複数の画像ファイルの画像信号を加算処理して多重撮影画像を生成する多重露出撮影を行う技術が知られている。この多重露出撮影では、加算処理により生成された多重撮影画像を表示してユーザの意図通りの多重撮影画像であるかを確認することができる機能も知られている。
【０００３】
一方、加算処理を行わない通常の撮影において、撮影した画像全体を表示する全体表示とその画像の一部を拡大した拡大表示を表示して、撮影した画像の合焦状態の確認を容易にする機能が知られている（特許文献１）。
【先行技術文献】
【特許文献】
【０００４】
【特許文献１】特開２００６−１６６０８６号公報
【発明の概要】
【発明が解決しようとする課題】
【０００５】
しかし、多重撮影画像に対して上述の機能を適用する場合、全体表示および拡大表示の対象となる画像は多重撮影画像であるため、加算処理した後の画像を拡大表示しても個々の画像の合焦状態等の撮影条件を確認することは困難であった。
【０００６】
本発明は、上述の従来技術の問題点に鑑みてなされたものであり、多重露出撮影において撮影された画像の撮影条件を容易に確認することが可能な撮像装置、表示装置の制御方法ならびにプログラムを提供することを目的とする。
【課題を解決するための手段】
【０００７】
この課題を解決するため、例えば本発明の撮像装置は以下の構成を備える。すなわち、撮影した複数の画像を重ね合わせた合成画像を生成して記録媒体に記録するための多重露出撮影モードを有する撮像装置であって、多重露出撮影モードにおいて、撮影画像の撮影後に、撮影した画像を確認するための多重露出撮影確認表示を表示手段に自動的に表示させる確認表示手段であって、多重露出撮影確認表示として、撮影画像と既に撮影済みの画像とを重ね合わせた合成画像を表示するように制御する確認表示手段と、画像の一部領域を拡大画像として表示手段に表示するように制御する拡大表示手段と、を有し、多重露出撮影確認表示は、複数の確認表示モードを有し、多重露出撮影確認表示において拡大画像を表示することが可能であり、拡大表示手段は、第１の確認表示モードの場合は、合成画像の一部領域を拡大画像として表示させ、第２の確認表示モードの場合は、合成画像ではなく撮影画像の一部領域を拡大画像として表示することを特徴とする。
【発明の効果】
【０００８】
本発明によれば、多重露出撮影において撮影された画像の撮影条件を容易に確認することが可能になる。
【図面の簡単な説明】
【０００９】
【図１】本発明の実施形態に係る撮像装置の一例としてのデジタルカメラの機能構成例を示すブロック図
【図２】本実施形態に係る表示部における多重露出撮影機能の設定画面例を示す図
【図３】本実施形態に係る多重露出撮影機能の一連の動作を示すフローチャート
【図４】本実施形態に係る多重露出撮影処理の一連の動作を示すフローチャート
【図５】多重露出撮影処理においてバッファメモリに格納される画像データを模式的に示す図
【図６】クイックレビュー・再生処理の一連の動作を示すフローチャート
【図７】フォーカスチェック表示処理の一連の動作を示すフローチャート
【図８】クイックレビュー・再生処理において表示される各情報表示の表示例を示す図
【図９】保存処理の一連の動作を示すフローチャート
【図１０】途中終了検出処理の一連の動作を示すフローチャート
【発明を実施するための形態】
【００１０】
（実施形態１）
以下、本発明の例示的な実施形態について、図面を参照して詳細に説明する。なお、以下では撮像装置の一例として、多重露出撮影の可能な任意のデジタルカメラに本発明を適用した例を説明する。しかし、本発明は、デジタルカメラに限らず、多重撮影画像を表示可能な任意の電子機器にも適用可能である。これらの電子機器には、例えば携帯電話機、ゲーム機、タブレット端末、パーソナルコンピュータ、眼鏡型端末などが含まれてよい。
【００１１】
（１  デジタルカメラ１００の構成）
本実施形態の撮像装置の一例としてデジタルカメラ１００の機能構成例を、図１を参照して説明する。なお、図１に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、同じハードウェアが主体として実現されうる。また、デジタルカメラ等の撮像装置、表示装置、制御装置とを組み合わせたシステムにおいて本実施形態の処理を実現してもよい。
【００１２】
撮影光学系１０１は、レンズ群から構成されフォーカスレンズやズームレンズを含むものである。ＡＦ（オートフォーカス）駆動部１０２は、撮影光学系１０１のフォーカスレンズを駆動する。ＡＦ駆動部１０２は、例えばＤＣモータやステッピングモータによって構成され、制御部１２３の制御によって撮影光学系１０１のフォーカスレンズ位置を制御させることによりピントを合わせる。また、撮影光学系１０１は、手動でもフォーカスレンズ位置を変えることが可能であり、その位置の変化はＡＦ駆動部１０２から制御部１２３に通知される。
【００１３】
絞り１０３は、撮像センサ１１２に入射する光量を調節する絞りであり、絞り駆動部１０４は絞り１０３を駆動する制御回路である。絞り駆動部１０４は、制御部１２３により算出された駆動量に基づいて絞り１０３を駆動して光学的な絞り値を変化させる。
【００１４】
主ミラー１０５は、撮影光学系１０１から入射した光束をファインダ側と撮像センサ側とに切替えるためのミラーである。主ミラー１０５は通常はファインダ部１０８へと光束を導くよう配置されるが、撮影が行われる場合やライブビュー表示の場合には、撮像センサ１１２へと光束を導くように上方に跳ね上がり光束を反射しない位置に待避される。また主ミラー１０５は、その中央部が光の一部を透過するようにハーフミラーとなっており、光束の一部を透過して焦点検出を行うためのセンサに入射させる。
【００１５】
サブミラー１０６は、主ミラー１０５から透過した光束を反射させ、焦点検出を行うためのセンサ（焦点検出部１０９内に配置されている）に光束を導く。ミラー駆動部１０７は、制御部１２３の制御により主ミラー１０５の位置を制御する。ファインダ部１０８はファインダを構成するペンタプリズムである。ファインダはピント板、アイピースレンズ（不図示）などによって構成させる。
【００１６】
焦点検出部１０９は、入射する光信号を内部のセンサにより光電変換してフォーカス演算に用いるデフォーカス量を出力する。主ミラー１０５の中央部を透過し、サブミラー１０６で反射された光束は、焦点検出部１０９の内部に配置されたセンサに導かれる。制御部１２３は焦点検出部１０９の出力を評価し、評価結果に基づいてＡＦ駆動部１０２を制御してフォーカスレンズを駆動させる。
【００１７】
シャッタ１１０は、フォーカルプレーンシャッタであり、シャッタ駆動部１１１により駆動される。シャッタの開口時間は制御部１２３の指示により設定され、シャッタ駆動部１１１は設定に応じてシャッタを駆動する。
【００１８】
撮像センサ１１２は、撮影光学系１０１によって結像された被写体像を電気信号に変換するＣＣＤやＣＭＯＳセンサ等で構成される。ＡＤ変換部１１５は、撮像センサ１１２から入力されたアナログ信号をデジタル信号に変換して、画像信号を映像信号処理部１１６に出力する。
【００１９】
映像信号処理部１１６は、ゲートアレイなどのロジックデバイスにより実現され、入力された画像信号に、フィルター処理、色変換処理、ガンマ処理等の現像処理を施して現像データを出力する。また、ＪＰＥＧ等の圧縮処理を行い、ライブビュー表示のスルー画像や多重露出撮影時のベース画像の生成、スルー画像とベース画像の重ね合わせを行ってメモリコントローラ１１９に出力する。また必要に応じて、入力された画像信号の露出情報やホワイトバランス、画像の周波数成分の分析などの情報を制御部１２３に出力する。このとき制御部１２３は、入力された情報に基づいてそれぞれホワイトバランスやゲイン調整、ピント合わせの指示を行う。また、映像信号処理部１１６は、現像データの生成やバッファメモリ１２２上の現像データから階調を高ビット化した高精度データの生成を行い、またはこれらを加算して多重撮影画像を生成する画像生成処理を行い、結果をバッファメモリ１２２に書き戻す。多重露出撮影における連続撮影枚数は、バッファメモリ１２２の容量の大きさに左右される。そのほか、映像信号処理部１１６は、撮像センサ１１２からの入力された画像信号や、メモリコントローラ１１９から入力された現像データや圧縮データその他の画像データを、制御部１２３の指示に応じて表示駆動部１１７を通して表示部１１８に出力する。
【００２０】
表示駆動部１１７は、表示部１１８の表示を制御する駆動回路であり、制御部１２３の表示内容に対する指示に従って表示部１１８に画像データや文字等の情報を表示させる。
【００２１】
表示部１１８は、ＴＦＴ型ＬＣＤや有機ＥＬ等で構成され、撮影された画像データとともに撮影情報などを表示する。表示部１１８は、撮影後に多重露出撮影により得られた多重撮影画像を含む撮影済の画像データの確認表示を行うクイックレビュー表示（多重露出撮影確認表示ともいう）、画像の一部領域を拡大表示してフォーカスを確認するフォーカスチェック表示を実現する。
【００２２】
メモリコントローラ１１９は、メモリ１２０、外部インターフェイス１２１およびバッファメモリ１２２に対するデータの書き込みや読み出しのタイミングを制御する。映像信号処理部１１６から現像データや圧縮データその他の画像データが入力されるとバッファメモリに格納するほか、撮影された画像データを必要に応じてメモリ１２０に格納する。さらに、メモリ１２０に記憶されている画像を外部のコンピュータ等に外部インターフェイス１２１を介して出力可能である。制御部１２３はメモリコントローラ１１９から得たメモリ１２０の容量と設定から予測される画像データのサイズをもとに、撮影前に撮影可能残数を演算することができ、必要に応じて表示部１１８に表示する。
【００２３】
メモリ１２０は、ＥＥＰＲＯＭなどの半導体メモリ等で構成される不揮発性メモリであり、撮影された画像データを記憶する。メモリ１２０はメモリカードのように取り外し可能な記録媒体であってもよい。
【００２４】
外部インターフェイス１２１は、デジタルカメラ１００と外部のコンピュータ等とを接続し、画像等のデータの交換を可能にするインターフェイスである。バッファメモリ１２２は、メモリ１２０や外部インターフェイス１２１にデータを書き込む際に一時的にデータを記録するために用いられる。
【００２５】
制御部１２３は、例えばＣＰＵあるいはＭＰＵであり、ＲＯＭに格納されたプログラムを記憶部１３０の作業エリアに展開し、実行することにより、デジタルカメラ１００全体を制御する制御部である。例えば制御部１２３は、本実施形態に係る多重露出撮影機能を実現するための各部の制御やフォーカスチェック表示に関する表示制御を実行する。
【００２６】
記憶部１３０は、制御部１２３のデータを一時記憶する揮発性の記憶媒体である。制御部１２３の動作用の定数、変数、ＲＯＭから読み出したプログラム等を展開する。
【００２７】
撮影操作部１２４は、各種スイッチやボタンなどからなり、ユーザによる操作指示を検出して制御部１２３に通知する。撮影操作部１２４を構成するスイッチには、シャッタースイッチを構成するＳＷ１  ２００およびＳＷ２  ２０１のほか、以下に説明するメニュースイッチ２０２、拡大スイッチ２０５等のスイッチがありそれぞれの状態が検出される。制御部１２３はその操作指示の通知に応じて各機能部を制御する。
【００２８】
ＳＷ１  ２００とＳＷ２  ２０１は、レリーズボタンの操作でオン・オフするスイッチであり、それぞれ撮影操作部１２４の入力スイッチのうちの１つである。ＳＷ１  ２００のみオンの状態はレリーズボタンを半押しした状態であり、制御部１２３はレリーズボタンを半押しした状態を検出するとオートフォーカスの動作を制御するとともに測光動作を制御する。ＳＷ１  ２００およびＳＷ２  ２０１がともにオンの状態はレリーズボタンを全押しした状態であり、制御部１２３はレリーズボタンを全押しした状態を検出すると、撮影により画像を記録する。
【００２９】
メニュースイッチ２０２は、デジタルカメラの設定値の確認や変更を行うためのメニューを表示部１１８に表示させるためのスイッチである。多重露出撮影に関する設定は、メニュースイッチ２０２の操作で表示されるメニュー表示の中から、多重露出撮影の“する”／“しない”や、重ね合わせる画像の枚数等を選択することで設定できる。
【００３０】
方向入力スイッチ２０３は、画像の任意位置を指定するために、最低限上下左右の４方向を指示することができるスイッチである。再生スイッチ２０４は、メモリ１２０などの画像データを表示部１１８などに表示させるためのスイッチである。拡大スイッチ２０５は、表示部１１８などで再生している画像を拡大操作するためのスイッチで、操作するたびに画像の変倍率を設定（拡大）させる。縮小スイッチ２０６は、表示部１１８などで再生している画像を縮小操作するためのスイッチで、操作するたびに画像の変倍率を設定（縮小）させる。Ｄｉｓｐスイッチ２０７は、撮影や再生に関する情報表示状態を切り換えるための情報表示切り替えスイッチであり、その情報表示状態は、図８において後述する簡易情報表示、詳細情報表示、フォーカスチェック表示の３つの状態がある。Ｄｉｓｐスイッチ２０７を押下すると、各状態が循環するように切り替えることができ、現在設定されている情報表示状態を記憶部１３０に記憶させる。
【００３１】
電子ダイアルスイッチ２０８は設定値などを変更するためのスイッチであり、消去スイッチ２０９は選択した画像を消去するための、セットスイッチ２１０は選択した設定を確定するためのスイッチである。
【００３２】
そのほか、撮影操作部１２４には、ＩＳＯ設定スイッチ、フラッシュ設定スイッチ、単写／連写／セルフタイマー切り替えスイッチ、露出補正スイッチ、絞りスイッチなど、不図示のスイッチが接続されている。撮影操作部１２４は、これらのスイッチの状態を検出して制御部１２３に通知する。
【００３３】
液晶駆動部１２７は、制御部１２３による表示に対する制御に従って、文字や画像を用いて動作状態やメッセージ等を表示する外部液晶表示部１２８やファインダ内液晶表示部１２９を駆動する。また、ファインダ内液晶表示部１２９には、不図示のＬＥＤなどのバックライトが配置されており、このＬＥＤも液晶駆動部１２７で駆動される。
【００３４】
以下、多重露出撮影機能に係るデジタルカメラ１００の動作を説明する。
【００３５】
（多重露出撮影機能に係る設定項目）
まず、多重露出撮影機能に係るカメラの設定項目を設定する方法について、図２を参照して説明する。メニュー画面Ｇ１００は多重露出撮影機能に係る設定を変更するメニュー画面の表示例であり、撮影操作部１２４中のメニュースイッチ２０２の操作によって表示部１１８に表示される。このメニュー画面では、撮影操作部１２４の方向入力スイッチ２０３や電子ダイアルスイッチ２０８の操作によって、メニュー項目であるＧ１０１〜Ｇ１０５の選択を行い、セットスイッチ２１０によりいずれかのメニュー項目が選択された状態に遷移する。さらに移動ボタンによって各メニュー項目において設定可能な内容（項目内容）を選択した後、再度セットスイッチ２１０を操作することで各メニュー項目に対する設定を確定する。
【００３６】
Ｇ１０１は、多重露出撮影機能の状態を選択するためのメニュー項目であり、「する」・「しない」の２つの項目内容が選択できる。項目内容が「する」に設定されると、デジタルカメラ１００は以後の撮影において多重露出撮影を行う（多重露出撮影モードともいう）「多重露出撮影開始」の状態に設定される。多重露出撮影開始状態において最初の１枚目の撮影を行うと、「多重露出撮影中」状態に遷移する。多重露出撮影中状態において、項目Ｇ１０１を「しない」に設定すると、その時点で多重露出撮影機能を終了し、「通常撮影」（通常撮影モードともいう）の状態となる。撮影モードが変化して通常撮影に状態変化する際に、多重撮影画像が生成可能であれば当該画像が生成される。
【００３７】
Ｇ１０２は、多重露出撮影において画像を重ねる枚数を選択するためのメニュー項目であり、「２」から「９」までの画像枚数が設定できる。Ｇ１０４において設定されるベース画像が選択されていない場合、設定した画像枚数が、多重露出撮影において撮影される予定枚数となる。ベース画像を選択した場合は、予定枚数が設定した画像枚数から１枚減った値に設定される。なお、項目Ｇ１０２は、多重露出撮影中の状態では選択して変更することができない。撮影により項目Ｇ１０２で設定した枚数の画像に達すると、カメラは多重露出撮影を終了して通常撮影状態となり、多重撮影画像を生成する。
【００３８】
Ｇ１０３は、多重露出撮影における自動露出調整機能の実行状態を選択するためのメニュー項目であり、「する」・「しない」の２つの項目内容が選択できる。なお項目Ｇ１０３は多重露出撮影中状態では、選択して変更することができない。また、多重露出撮影が終了すると、「しない」に設定される。
【００３９】
Ｇ１０４は、多重露出撮影によって撮影された画像を重ねるための、予め撮影された画像（ベース画像）を選択するためのメニュー項目であり、メモリ１２０に記憶されている撮影画像から１つの画像を選択する。なお、項目Ｇ１０４は多重露出撮影開始状態でなければ選択することができない。本項目によりベース画像を選択すると、多重露出撮影によって撮影される画像のサイズがベース画像の画像サイズと同じ値に設定される。本項目は、多重露出撮影が終了するとベース画像が選択されていない状態になる。映像信号処理部１１６は、ベース画像が選択されると、ベース画像をメモリ１２０から読み出して各種処理を施し、バッファメモリ１２２上に現像データとして変換された形で配置する。
【００４０】
Ｇ１０５は選択したベース画像をキャンセルするための「画像選択解除」ボタンであり、選択するとただちにベース画像が選択されていない状態になる。
【００４１】
ベース画像は、メモリ１２０に記憶されている画像であり、映像信号処理部１１６によって、メモリ１２０から読みだされ、バッファメモリ１２２上に現像データとして変換された形で配置される。即ち、Ｇ１０４によりベース画像を選択すると、過去に撮影した画像を１枚目撮影の画像として、多重露出機能を実現することが可能となる。
【００４２】
（多重露出撮影機能に係る一連の動作）
次に、図３を参照して、多重露出撮影機能における一連の動作を説明する。なお、デジタルカメラ１００の多重露出撮影が「する」に設定されて多重露出撮影開始となった状態で、レリーズボタンが半押しの状態、即ちＳＷ１  １２５のみオンの状態となったことが制御部１２３に通知された場合に本処理が開始される。制御部１２３がＲＯＭに格納されたプログラムを記憶部１３０の作業エリアに展開し、実行することにより実現される。
【００４３】
Ｓ２０１において制御部１２３は、ＳＷ２がオンか否かを判定し、ＳＷ２がオンであればＳ２０２に処理を進めて多重露出撮影処理を行い、ＳＷ２がオンでなければ、再度Ｓ２０１においてＳＷ２がオンか否かの判定に戻る。
【００４４】
Ｓ２０３において制御部１２３は、１枚目の撮影に対して多重露出撮影処理が行われると、状態を多重露出撮影中状態へ変更して記憶部１３０に記憶させ、Ｓ２０４においてクイックレビュー表示が消灯状態であるかどうか判定する。制御部１２３は、クイックレビューが消灯状態であると判定した場合、処理を再びＳ２０４に戻してクイックレビューが消灯状態かの判定を行う。消灯状態でないと判定した場合はＳ２０５に処理を進める。
【００４５】
Ｓ２０５において制御部１２３は、多重露出撮影の完了枚数と、多重露出撮影の予定枚数が同じかどうか判定する。多重露出撮影の予定枚数とは、上述した図２における項目Ｇ１０２で設定した予定枚数である。制御部１２３は、記憶部１３０から読み出した多重露出撮影の予定枚数が完了枚数と同じでないと判定した場合、即ちまだ多重露出撮影の途中であると判定した場合、Ｓ２０８に処理を進め、多重露出撮影が完了したと判定した場合はＳ２０６に処理を進める。
【００４６】
Ｓ２０６において制御部１２３は、多重露出撮影の予定枚数に達しているため、多重撮影画像を保存するため、後述する保存処理を実行する。当該処理が完了すると処理をＳ２０７に進める。
【００４７】
Ｓ２０７において制御部１２３は、多重撮影画像の保存処理が完了すると状態を通常撮影状態へ戻して一連の処理を終了する。
【００４８】
一方、Ｓ２０８において制御部１２３は、途中終了検出処理を行う。処理の詳細は後述する。処理が終了するとＳ２０９に処理を進めて、通常撮影状態か否かを判定する。制御部１２３は、通常撮影状態でないと判定した場合、多重露出撮影を継続するために再び処理をＳ２０１に戻し、通常撮影状態であると判定した場合、一連の処理を終了する。
【００４９】
（多重露出撮影処理に係る一連の動作）
以下、多重露出撮影処理における一連の動作を図４のフローチャートおよび図５を参照して説明する。本処理は、上述のＳ２０２が実行されると開始される。
【００５０】
多重露出撮影処理が実行されると、Ｓ３０１において制御部１２３は、絞り駆動部１０４を介して絞り１０３を制御して露光を行い、露光が完了すると、Ｓ３０２において撮像センサ１１２に対して蓄積された画像信号の読み出しを行わせる。
【００５１】
Ｓ３０３において映像信号処理部１１６は、制御部１２３の指示に応じて読み出した画像信号から現像データを生成する。図５は、多重露出撮影における３回の撮影で得られる画像信号および多重露出撮影処理によりバッファメモリ１２２に格納された画像データの様子を模式的に示している。１枚目の撮影で得られる画像信号Ａ、２枚目で得られた画像信号Ｂ、３枚目で得られた画像信号Ｃとして、それぞれの画像信号に対応する現像データＡ、現像データＢ、現像データＣが生成されている。
【００５２】
Ｓ３０４において映像信号処理部１１６は、制御部１２３の指示に応じて生成した現像データを圧縮して圧縮データを生成し、Ｓ３０５において、生成された圧縮データをバッファメモリ１２２およびメモリ１２０に書き込む。映像信号処理部１１６によるメモリ１２０への書き込みが完了すると、制御部１２３は処理をＳ３０６に進める。
【００５３】
Ｓ３０６において制御部１２３は、書き込み済みファイル情報を生成する。書き込み済みファイル情報は、例えばバッファメモリ１２２とメモリ１２０へ書き込んだファイル名のリストである。
【００５４】
Ｓ３０７において制御部１２３は、ベース画像の有無を判定し、ベース画像がないと判定した場合は処理をＳ３０８に進め、ベース画像があると判定した場合はＳ３１１に処理を進める。ベース画像の有無の判定は、図２に示したＧ１０４において選択されている画像の有無で判定を行う。
【００５５】
Ｓ３１１において制御部１２３は、多重露出撮影の完了枚数が１枚以上かを判定する。本処理の時点では、Ｓ３０１〜Ｓ３０６において撮影および記録されたデータは多重露出撮影の完了枚数にカウントされていない。従って、判定に用いる多重露出撮影の完了枚数は前回の撮影によって記録されている多重露出撮影の完了枚数である。このため、多重露出撮影の完了枚数が１以上でない場合、即ちＳ３０１〜Ｓ３０６の処理によって撮影された画像データのみが記録されている。制御部１２３は、多重露出撮影の完了枚数が１枚以上である場合、Ｓ３１２に処理を進め、完了枚数が１以上でない場合にはＳ３２０に処理を進める。
【００５６】
Ｓ３２０において制御部１２３は、多重露出撮影の完了枚数が０である場合において、撮影画像の撮影後に自動的にクイックレビュー表示を行うかを判定する。クイックレビュー表示を行うかの判定は、デジタルカメラ１００の設定値を参照して、クイックレビュー表示を行う旨の設定がされているか否かで判定する。クイックレビュー表示を行う設定である場合、処理をＳ３２１に進め、クイックレビュー表示を行わない設定である場合、処理をＳ３１９に進める。
【００５７】
Ｓ３２１において制御部１２３は、Ｓ３０５においてバッファメモリ１２２に書きこんだ圧縮データを用いてクイックレビュー表示を行ない、Ｓ３２２においてクイックレビュー・再生処理を実行する。１枚目の画像についてのクイックレビュー・再生処理が終了すると、制御部１２３は、処理をＳ３１９に進める。
【００５８】
Ｓ３１９において制御部１２３は、多重露出撮影の完了枚数に１を加算して一連の処理を終了する。
【００５９】
一方、多重露出撮影の完了枚数が１以上である場合、Ｓ３１２において制御部１２３は、多重露出撮影の完了枚数が１であるかを判定し、多重露出撮影の完了枚数が１である場合Ｓ３１３に処理を進める。Ｓ３１３において映像信号処理部１１６は、制御部１２３の指示のもと、前回撮影による現像データを高精度化して高精度データを生成する。図５における１枚目の撮影時の現像データＡから、２枚目の撮影時における高精度データＡをバッファメモリ１２２上に生成する。なお、高精度データは、前回の撮影で得られた現像データを合成するために高ビット化し、前回までに生成していた高精度データに加算した画像データである。高精度化することで、合成画像の生成に伴って階調が飽和してしまう可能性を低減することができる。高精度化以外にも合成しやすくするための他の処理を施したものとしても良い。制御部１２３は、高精度データＡの生成を完了すると処理をＳ３１４に進める。
【００６０】
さらに、Ｓ３１２において多重露出撮影の完了枚数が１でないと判断した場合、制御部１２３は、Ｓ３０９に処理を進める。
【００６１】
Ｓ３０８において制御部１２３は、多重露出撮影の完了枚数が１枚以上か否かを判定し、多重露出撮影の完了枚数が１枚以上である場合は処理をＳ３０９に進め、多重露出撮影の完了枚数が１枚以上でない場合Ｓ３１０に処理を進める。
【００６２】
Ｓ３０９において映像信号処理部１１６は、制御部１２３の指示に応じて前回撮影による現像データと高精度データを加算した高精度データを生成する。即ち、図５における２枚目の撮影時に生成された現像データＢと高精度データＡを加算し、３枚目撮影時における高精度データＡ＋Ｂをバッファメモリ１２２上に生成することが該当する。
【００６３】
Ｓ３１０において映像信号処理部１１６は、ベース画像の現像データを高精度化し、高精度データを生成する。即ち、ベース画像の現像データを高精度データＡとして生成することは、図５における２枚目撮影時に高精度データＡをバッファメモリ１２２上に生成することと等価である。
【００６４】
Ｓ３１４において映像信号処理部１１６は、制御部１２３の指示に応じて、高精度データと今回の撮影による現像データを合成して多重現像データを生成する。多重現像データは、今回生成した高精度データ（前回までに得た画像を多重したもの）に、今回の撮影で得られた現像データを加算したデータである。そしてＳ３１５において、さらに圧縮処理を行って多重圧縮データを作成する。多重圧縮データは、多重現像データを表示のために縮小・圧縮したデータであり、このデータをクイックレビュー表示において表示部１１８に表示する。ここでの圧縮には高ビット化した多重現像データに対する低ビット化する処理を含んでもよい。２枚目の撮影時ならば多重圧縮データＡ＋Ｂが、３枚目の撮影時ならば多重圧縮データＡ＋Ｂ＋Ｃがバッファメモリ１２２上に生成されている。前回の撮影時の時点では、前回撮影時の多重圧縮データは消去せず、そのまま保持した状態を維持する。つまり、３枚目の撮影時において多重圧縮データＡ＋Ｂ＋Ｃが生成された時点では、２枚目の撮影時の多重圧縮データＡ＋Ｂがバッファメモリ１２２上に保持されている。また、前述したとおり、現像データＡ、Ｂ、Ｃは、多重撮影画像の原画像として、メモリ１２０に保存されている。さらに、前回撮影時の多重圧縮データを削除せずに蓄積することで、複数枚の画像を遡った多重露出撮影を行えるようにしてもよい。
【００６５】
圧縮処理が完了すると、Ｓ３１６において制御部１２３は、クイックレビューするか否かを判定する。クイックレビューするかの判定は、Ｓ３２０と同様、デジタルカメラ１００の設定値を参照して、クイックレビュー表示を行う旨の設定がされているか否かで判定する。クイックレビュー表示を行う設定である場合、Ｓ３１７に処理を進め、クイックレビュー表示を行わない設定である場合、Ｓ３１９に処理を進める。
【００６６】
Ｓ３１７において制御部１２３は、クイックレビュー表示を行うための多重圧縮データを表示させる。そして、Ｓ３１８において表示させたクイックレビュー表示に対して所定の表示や操作を行うためのクイックレビュー・再生処理を実行する。クイックレビュー・再生処理の詳細な動作は後述する。制御部１２３は、クイックレビュー・再生処理の実行が終了すると、Ｓ３１９に処理を進める。
【００６７】
Ｓ３１９において制御部１２３は、多重露出撮影の完了枚数に１を加算し、一連の処理を終了する。
【００６８】
なお、図５では撮影を３枚まで完了した例を説明したが、同様の処理を繰り返すことで３枚以上撮影した場合にも適用可能である。
【００６９】
（クイックレビュー・再生処理に係る一連の動作）
次に、クイックレビュー・再生処理について、制御部１２３の処理を図６のフローチャートを参照して説明する。本処理は、図４に示したＳ３１８またはＳ３２２が実行されたときに開始される。
【００７０】
Ｓ６０１において制御部１２３は、現在設定されている情報表示状態を記憶部１３０から取得する。上述のように、情報表示状態には簡易情報表示、詳細情報表示、フォーカスチェック表示の３つの状態がある。Ｄｉｓｐスイッチ２０７が押下されると、制御部１２３は、各状態を循環するように切り替え、現在設定されている情報表示状態を記憶部１３０に記憶させる。クイックレビュー・再生処理を開始直後は予め決まった情報表示状態を割り当てても良いし、最後に本機能を使用した際の情報表示状態を記憶させておき、再度使用する際に記憶させていた情報表示状態を割り当ててもよい。本実施形態では、クイックレビュー・再生処理の開始直後は、簡易情報表示が設定されるものとする。
【００７１】
Ｓ６０２において制御部１２３は、取得した情報表示状態がフォーカスチェック表示かを判定する。情報表示状態がフォーカスチェック表示である場合にはＳ６１１に処理を進め、それ以外である場合にはＳ６０３に処理を進める。なお、フォーカスチェック表示については図７を参照して後述する。
【００７２】
Ｓ６０３において制御部１２３は、さらにＤｉｓｐスイッチ２０７に対する操作があるかを判定する。撮影操作部１２４を介してＤｉｓｐスイッチ２０７に対する操作の通知を受けた場合、その操作内容を判定するためにＳ６０４に処理を進める。一方、Ｄｉｓｐスイッチ２０７に対する操作がないと判定したときはＳ６０５に処理を進める。
【００７３】
Ｓ６０４において制御部１２３は、Ｄｉｓｐスイッチに対する操作によって表示モードを切り替えるため、Ｓ６０１同様、現在の情報表示状態を確認し、現在の情報表示状態に応じて、次の情報表示状態を切り替える。現在の情報表示状態がフォーカスチェック表示であるときは、簡易情報表示を表示させるためＳ６０９に処理を進め、現在の情報表示状態が簡易情報表示である場合、詳細情報表示を表示させるためにＳ６１０に処理を進める。同様に、現在の情報表示状態が詳細情報表示である場合、フォーカスチェック表示を表示させるためにＳ６１１に処理を進める。
【００７４】
図８は、クイックレビュー・再生処理において表示される上記３つの各情報表示の表示例を示している。多重撮影画像に対する簡易情報表示（図８（ａ））、詳細情報表示（図８（ｃ））、フォーカスチェック表示（図８（ｄ））のそれぞれの情報表示状態における表示の違いを示している。なお、図８（ｂ）は簡易情報表示で画像を拡大表示した場合の概略図で、多重撮影画像を単に拡大表示した場合は、多重撮影画像の拡大表示となることを表している。
【００７５】
Ｓ６０５において制御部１２３は、各情報表示状態における表示に対して、拡大スイッチ２０５が押下されたかを判定する。制御部１２３は、撮影操作部１２４を介して拡大スイッチ２０５に対する操作指示が通知された場合、Ｓ６０６に処理を進めて画像を変倍（拡大）して拡大画像表示を行い、拡大スイッチ２０５に対する操作指示が通知されない場合はＳ６０７に処理を進める。クイックレビュー・再生処理の実行直後であって各情報表示状態の表示が完了していない場合、制御部１２３は、拡大スイッチ２０５に対する操作を無視してＳ６０７に処理を進める。
【００７６】
Ｓ６０７において制御部１２３は、各情報表示状態における表示に対して、縮小スイッチ２０６が押下されたかを判定する。制御部１２３は、撮影操作部１２４を介して縮小スイッチ２０６に対する操作が通知された場合、Ｓ６０８において画像を変倍（縮小）して縮小画像表示を行う。縮小スイッチ２０６に対する操作が通知されない場合、処理をＳ６１２に進める。Ｓ６０５と同様に、クイックレビュー・再生処理の実行直後であって各情報表示状態の表示が完了していない場合、制御部１２３は、縮小スイッチ２０６に対する操作を無視してＳ６１２に処理を進める。
【００７７】
Ｓ６０９において制御部１２３は、映像信号処理部１１６を介して簡単情報表示を表示させる。簡単情報表示は図８（ａ）に示す全体画像表示または図８（ｂ）に示す拡大画像表示のいずれかが表示されるが、本ステップでは図８（ａ）に示す全体画像表示を表示させるものとする。別途上述のＳ６０５あるいはＳ６０７の処理が行われることによって表示画像が切り替えられる。制御部１２３は、図８（ｂ）に示す拡大画像表示として、拡大された画像を表示させるとともに、拡大された画像上には、全体表示画像のどの領域を拡大表示画像として表示しているかを示す矩形を合わせて表示する。
【００７８】
Ｓ６１０において制御部１２３は、映像信号処理部１１６を介して詳細情報表示を表示させる。詳細情報表示は図８（ｃ）に示す表示であり、フォーカスの状態を波形で表示するエッジモニター等の情報を画像表示とともに表示する。なお、多重撮影画像に対して詳細情報表示を行う場合、表示対象となる画像は多重撮影画像に加えて多重撮影画像を構成する個々の画像を切り替えて表示できるようにしてもよい。
【００７９】
Ｓ６１２において制御部１２３は、シャッタースイッチ、即ちＳＷ１  ２００およびＳＷ２  ２０１が押下されたかを判定する。撮影操作部１２４を介してＳＷ１  ２００およびＳＷ２  ２０１に対する操作が通知された場合、撮影動作を開始するためにクイックレビュー・再生処理の一連の処理を終了させる。一方、シャッタースイッチが押下されていないと判定した場合、Ｓ６１３に処理を進めて所定の操作入力がない状態で表示経過時間が経過したかを判定する。表示経過時間が予め設定された時間よりも短い時点で所定の操作入力が通知された場合、制御部１２３はクイックレビュー表示を継続するために再びＳ６０２に処理を戻し、表示経過時間が長い場合、本処理の一連の動作を終了する。
【００８０】
（フォーカスチェック表示に係る一連の動作）
次に、図７を参照して、フォーカスチェック表示に係る一連の動作を説明する。フォーカスチェック表示は、図６に示したＳ６１１が実行されると開始され、制御部１２３により以降の処理および映像信号処理部１１６に対する表示制御が行われる。
【００８１】
Ｓ７０１において制御部１２３は、フォーカスチェック表示において表示すべき画像を読み込み、Ｓ７０２において表示する画像が通常撮影による画像（通常撮影画像）か多重撮影画像かの判定を行う。制御部１２３は、表示すべき画像が通常撮影画像である場合はＳ７０３に処理を進め、多重撮影画像である場合はＳ７０３に処理を進める。
【００８２】
Ｓ７０３において映像信号処理部１１６は、通常撮影画像に対して全体表示画像とその画像の一部を拡大した拡大表示画像を表示する。このとき映像信号処理部１１６は、通常撮影画像について予め定められた画像上の領域を取得して拡大表示画像を生成する。例えば、フォーカスチェック表示の実行直後では、画像中央を含み通常撮影画像の数分の１の大きさの領域を予め定められた領域として定めても良いし、公知の被写体認識アルゴリズムを用いて動的に検出した領域を拡大表示画像として表示してもよい。図８（ｄ）に示すフォーカスチェック表示の例では、画像全体の表示（左側）と画像を拡大した表示（右側）が表示され、表示位置変更などのユーザ操作の対象となる画面（操作画面）を交互に切り替えることができる。図８（ｄ）の例では、全体表示画像が拡大表示画像に対して前面に表示されており、全体表示画像がユーザ操作を受ける対象としてアクティブになっていることを示している。また、全体表示画像上には、全体表示画像のどの領域を拡大表示画像として表示しているかを示す矩形を合わせて表示する。
【００８３】
一方、Ｓ７０４において映像信号処理部１１６は、多重撮影画像に対する全体表示画像とその多重撮影画像を構成する画像の一部を拡大した拡大表示画像を表示する。このとき、映像信号処理部１１６は、全体表示画像について多重圧縮データＡ＋Ｂ＋Ｃを表示するとともに、拡大表示画像については多重撮影画像を構成する最新の現像データＣの一部を拡大した拡大表示画像の表示を行う。このように表示することで、ユーザは多重撮影画像が全体として意図通りであるかを確認することができると共に、多重撮影画像を構成する個々の画像が意図通りであるかを容易に確認することが可能となる。特に、最新の画像を最初に表示することで、撮影直後の確認において撮り直し等の判断を迅速に行うことができる。なお、本ステップにおいてもＳ７０３と同様に、拡大表示画像の対象となる領域を決定する。
【００８４】
Ｓ７０５において制御部１２３は、拡大スイッチ２０５が押下されたかを判定する。制御部１２３は、撮影操作部１２４を介して拡大スイッチ２０５に対する操作指示が通知された場合はＳ７０６に処理を進め、拡大スイッチ２０５に対する操作指示が通知されない場合はＳ７０７に処理を進める。
【００８５】
Ｓ７０６において映像信号処理部１１６は、拡大表示画像を操作画面に表示するように切り替える。図８（ｄ）のような表示を行っていた場合は、拡大表示画像をアクティブにする、または、拡大表示画像が操作画面全体に表示されるようにしてもよい。また、制御部１２３は、拡大表示画像に切り替えた後の所定時間の間は、第１の確認表示モードとして多重圧縮データＡ＋Ｂ＋Ｃを拡大表示画像として表示し、第２の確認モードとして拡大表示画像を最新の現像データＣに切り替えるようにしても良い。このように確認表示中に表示モード切り替えを行えば、多重撮影画像における意図した領域の確認とこの多重撮影画像を構成する画像における意図した領域のフォーカスとを交互に確認することができるため、合成前後の関係を容易に把握することが可能になる。
【００８６】
Ｓ７０７において制御部１２３は、縮小スイッチ２０６が押下されたかを判定する。制御部１２３は、撮影操作部１２４を介して縮小スイッチ２０６に対する操作指示が通知された場合はＳ７０８に処理を進め、縮小スイッチ２０６に対する操作指示が通知されない場合はＳ７０９に処理を進める。
【００８７】
Ｓ７０８において映像信号処理部１１６は、現在拡大画像表示であるときは操作画面の表示を全体画像に切り替える。図８（ｄ）のような表示を行っていた場合は、全体表示画像をアクティブにする、または、全体表示画像が操作画面全体に表示されるようにしてもよい。
【００８８】
Ｓ７０９において制御部１２３は、方向入力スイッチ２０３が押下されたかを判定する。制御部１２３は、撮影操作部１２４を介して方向入力スイッチ２０３に対する操作指示が通知された場合はＳ７１０に処理を進め、方向入力スイッチ２０３に対する操作指示が通知されない場合はＳ７１２に処理を進める。
【００８９】
Ｓ７１０において制御部１２３は、操作画面が全体表示画像あるいは拡大表示画像であるかを判定し、操作画面が拡大表示画像である場合、Ｓ７１１において表示画像位置、即ち拡大表示画像の対象となる領域を方向入力スイッチ２０３の操作により変更させる。また、操作画面が全体表示画像である場合、処理を行わずにＳ７１２に処理を進める。
【００９０】
Ｓ７１２において制御部１２３は、電子ダイアルスイッチ２０８が回転されたかを判定する。制御部１２３は、撮影操作部１２４を介して電子ダイアルスイッチ２０８に対する操作指示が通知された場合はＳ７１３に処理を進め、電子ダイアルスイッチ２０８に対する操作指示が通知されない場合はＳ７１７に処理を進める。
【００９１】
Ｓ７１３において制御部１２３は、操作画面が全体表示画像あるいは拡大表示画像であるかを判定し、全体表示画像である場合はＳ７１６に処理を進め、拡大表示画像である場合はＳ７１４に処理を進める。
【００９２】
Ｓ７１４において制御部１２３は、表示している拡大表示画像が通常表示画像あるいは多重撮影画像であるかを判定する。表示している拡大表示画像が通常表示画像である場合は、Ｓ７１３と同様にＳ７１６に処理を進めて通常表示画像の画像送りを行わせる。一方、表示している拡大表示画像が多重撮影画像である場合、Ｓ７１５に処理を進める。
【００９３】
Ｓ７１５において制御部１２３は、映像信号処理部１１６は制御部１２３の指示に応じて、拡大表示画像を、表示している多重撮影画像を構成する別の現像データに切り替える。このとき制御部１２３は、全体表示画像は継続して同一の多重撮影画像を表示させながら、拡大表示画像について画像送りを行う。この画像送りにおける画像の選択方法は種々の方法が考えられるが、例えば多重撮影画像を構成する画像を循環して表示させ、さらにこの循環の中に、多重撮影画像の表示が選択できるようにしても良い。具体的には、拡大表示画像を、電子ダイアルスイッチ２０８の操作に応じてＣ→Ｂ→Ａ→Ａ＋Ｂ＋Ｃ→Ｃと切り替える。このように拡大表示画像を切り替えることによって、多重撮影画像を構成する個々の画像の成否を順に確認可能となるとともに、多重撮影画像と個々の画像を交互に比較することが可能となり、多重露出撮影の成否の判断がより容易になる。
【００９４】
Ｓ７１６において制御部１２３は、表示している全体表示画像を切り替えるための画像送りをする。映像信号処理部１１６は、制御部１２３の指示に応じてバッファメモリ１２２から新たな通常撮影画像を読み出して表示する。
【００９５】
Ｓ７１７において制御部１２３は、消去スイッチ２０９が押下されたかを判定する。制御部１２３は、撮影操作部１２４を介して消去スイッチ２０９に対する操作指示が通知された場合はＳ７１８に処理を進め、消去スイッチ２０９に対する操作指示が通知されない場合はＳ７１９に処理を進める。
【００９６】
Ｓ７１８において制御部１２３は、操作画面が全体表示画像であって通常撮影画像や多重撮影画像が表示されている場合、消去スイッチ２０９の操作において指定された通常撮影画像あるいは多重撮影画像を消去する。一方、操作画面が多重撮影画像に対する拡大表示画像を表示している場合は、制御部１２３は、拡大表示画像として表示される多重撮影画像を構成する各画像を消去の対象として消去し、拡大表示画像として表示されていた画像を消去する。映像信号処理部１１６は、制御部１２３の指示に応じて、多重撮影画像を構成する画像を消去すると、多重撮影画像を構成する残りの画像で多重撮影画像を再作成して全体表示画像として表示する。例えば、多重撮影画像がＡ＋Ｂ＋Ｃで構成され、拡大表示している画像がＣである場合、制御部１２３は現像データＣを削除させるとともに、全体表示画像にはバッファメモリ１２２における高精度データＡ＋Ｂを使って多重撮影画像を表示させる。また、制御部１２３は、拡大表示画像についてはメモリ１２０に記憶されている現像データＢを読み出して、これを拡大して表示する。
【００９７】
なお、全体表示画像は、バッファメモリ１２２の画像を使って表示しても、メモリ１２０から画像Ａ、Ｂをそれぞれ読み込んで、多重撮影画像を生成してもよい。さらに、その多重撮影画像を保存するか、再度、画像を撮影、若しくは、別画像を合成するかを選ばせてもよい。
【００９８】
Ｓ７１９において制御部１２３は、Ｄｉｓｐスイッチ２０７が押下されたかを判定する。制御部１２３は、撮影操作部１２４を介してＤｉｓｐスイッチ２０７に対する操作指示が通知された場合は情報表示状態を切り替えるため、フォーカスチェック表示に係る一連の処理を終了する。一方、Ｄｉｓｐスイッチ２０７に対する操作指示が通知されない場合は再び処理を７０２に戻してユーザの操作指示に対する表示処理を繰り返す。
【００９９】
（保存処理の一連の動作）
次に、図９を参照して保存処理を実行した場合の一連の動作について説明する。なお、本処理は、図３に示したＳ２０６の処理が実行されると開始され、多重露出撮影において撮影された保存するとともに、多重露出撮影機能を終了させる。
【０１００】
Ｓ４０１において制御部１２３は、多重露出撮影の完了枚数が２枚以上かの判定を行う。制御部１２３は、多重露出撮影の完了枚数が２枚以上である場合は多重現像データを圧縮するためにＳ４０２に処理を進め、２枚以上でない場合はＳ４０７に処理を進める。
【０１０１】
Ｓ４０７において制御部１２３は、さらに多重露出撮影の完了枚数が１枚であるかを判定する。多重露出撮影の完了枚数が１枚でない場合、即ち多重露出撮影により画像が取得されていない場合、処理対象が無いためＳ４０５に処理を進める。一方、多重露出撮影の完了枚数が１枚である場合は、Ｓ４０８においてベース画像があるかを判定する。ベース画像が設定されている場合、Ｓ４０１において多重露出撮影の完了枚数が２以上であった場合と同様に多重現像データを圧縮するためにＳ４０２に処理を進める。ベース画像が設定されていない場合はＳ４０９に処理を進める。
【０１０２】
Ｓ４０２において映像信号処理部１１６は、制御部１２３の指示により、メモリコントローラ１１９を介して多重現像データのデータ圧縮を行う。ここで、多重現像データのデータ圧縮には高ビット化されたデータを低ビット化する処理を含む。但し、Ｓ７１８における指定画像の削除が適用されずにバッファメモリ１２２の状態がフォーカスチェック表示開始時から変化していない場合、本ステップおよび次にＳ４０３の適用を不要としてよい。
【０１０３】
Ｓ４０３において映像信号処理部１１６は、Ｓ４０２の処理が完了すると多重撮影画像を例えばＪＰＥＧ形式の圧縮ファイルとして圧縮データを作成し、さらにＳ４０４において、記録媒体であるメモリ１２０に多重撮影画像を保存する。
【０１０４】
次に、Ｓ４０５において制御部１２３は、デジタルカメラ１００の設定状態を通常撮影状態に戻すために、記憶部１３０に記憶している多重露出撮影の予定枚数を０に戻す。制御部１２３は、さらに多重露出撮影に係る設定値を「しない」に変更すると、Ｓ４０６においてメニュー表示を変更して多重露出撮影機能の一連の処理を終了する。
【０１０５】
Ｓ４０９において制御部１２３は、多重露出画像にならない旨を警告する警告表示を表示し、書き込み済みファイルを削除するかどうかをユーザに尋ねるＵＩを表示する。ベース画像が存在せず、重ね合わせる画像としては１枚しかないため事実上重ね合わせにならないためである。
【０１０６】
Ｓ４１０において制御部１２３は、Ｓ４０９において表示した警告に対するユーザの選択結果を判定する。ユーザの選択により書き込み済みファイルを削除すると判定した場合、Ｓ４１１において制御部１２３は、書き込み済みファイル情報を指定してメモリ１２０に記憶された書き込み済み圧縮データを削除し、書き込み済みファイル情報を更新する。書き込み済みファイル情報の更新を完了すると、制御部１２３は、処理をＳ４０５に進める。
【０１０７】
Ｓ４１２において制御部１２３は、次回の多重露出撮影機能の設定時におけるベース画像の選択画面において、書き込み済みの画像を最初に表示する画像として登録するかを問う画面を表示し、その選択結果を判定する。書き込み済みファイルを登録するとの操作があったと判定した場合は処理をＳ４１３に進め、当該ファイルを登録しないとの操作があったと判定した場合、処理を上述のＳ４０５に進める。
【０１０８】
Ｓ４１３において制御部１２３は、書き込み済みファイルをベース画像の先頭画像に登録して上述のＳ４０５に処理を進める。
【０１０９】
（途中終了検出処理に係る一連の動作）
さらに、図１０を参照して、途中終了検出処理に係る一連の動作を説明する。なお、本処理は図３に示したＳ２０８において途中終了検出処理が実行されたときに開始される。
【０１１０】
Ｓ１００１において制御部１２３は、現時点で多重露出撮影中状態か否かを判定する。制御部１２３は、記憶部１３０に記憶された状態に基づいて多重露出撮影中状態であると判定したときは、Ｓ１００２に処理を進め、多重露出撮影中状態でないと判定した場合は本処理に係る一連の動作を終了させる。
【０１１１】
Ｓ１００２において制御部１２３は、途中終了イベントが発生したか否かを判定する。途中終了イベントとは、ユーザが多重露出撮影の設定機能により多重露出撮影機能を終了させた場合や、電源Ｏｆｆとなるような種々の操作、撮影設定等の条件により多重露出モードを継続できないような状態になるイベントを指す。電源Ｏｆｆとなるような種々の操作には、例えば図示しないメインスイッチやＣａｒｄ蓋、電池蓋に対する操作があり、またオートパワーオフ時間経過によるイベント発生も途中終了イベントとなる。制御部１２３は、撮影操作部１２４からの通知および割り込み信号から上記の途中終了イベントがあったと判定した場合、処理をＳ１００３に進める。一方、途中終了イベントが発生していないと判定した場合は一連の処理を終了させる。
【０１１２】
Ｓ１００３において制御部１２３は、前述した保存処理を実行して、その後Ｓ１００４において通常撮影状態へ変更し、一連の処理を終了する。
【０１１３】
なお、本実施形態では、クイックレビュー表示におけるフォーカスチェック表示について説明したが、多重撮影画像を再生表示する際のフォーカスチェック表示に適用しても良い。また、１回の撮影ごとにクイックレビュー表示におけるフォーカスチェックを行うほか、所定の枚数を連続して撮影を行う連続撮影による多重露出撮影に適用してもよい。この場合は例えば多重露出撮影の予定枚数と完了枚数が同一となった場合にクイックレビュー表示を行ってフォーカスチェックを行えばよい。さらに、多重露出撮影において拡大表示画像を表示させてフォーカスの確認を行う例を説明したが、本発明はフォーカスの確認に限らず他の撮影条件の確認に対しても適用可能である。例えば、多重露出撮影において拡大表示画像を表示させて多重撮影画像を構成する個々の画像のぼかし具合、コントラスト、明るさ等を確認することも同様の構成により可能である。
【０１１４】
以上説明したように本実施形態では、多重露出撮影において撮影された多重撮影画像を確認する場合に、多重撮影画像に対する全体表示画像とその多重撮影画像を構成する画像の一部を拡大した拡大表示画像とを表示するようにした。このようにすることで、多重露出撮影において撮影された画像の撮影条件を容易に確認することが可能となる。また、拡大表示画像の表示においては、直近で撮影された画像を表示するようにした。このようにすることで、撮影直後の確認において撮り直し等の判断を迅速に行うことができる。
【０１１５】
さらに、拡大表示画像の表示において、多重撮影画像を構成する複数の画像を切り替えて表示できるにした。このように拡大表示画像を切り替えることによって、多重撮影画像を構成する個々の画像の成否を個別に確認することが可能となる。加えて、拡大表示画像の表示において、多重撮影画像を構成する個々の画像に加えて多重撮影画像の拡大表示画像を加えることで、個々の画像と多重撮影画像の詳細を交互に表示して比較することが可能となり、多重露出撮影の成否の判断がより容易になる。
【０１１６】
（その他の実施形態）  また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１１７】
１１２…撮像センサ、１１６…映像信号処理部、１１８…表示部、１２３…制御部、１２４…操作部
【図１】
0006383230.tif 000002
【図２】
0006383230.tif 000003
【図３】
0006383230.tif 000004
【図４】
0006383230.tif 000005
【図５】
0006383230.tif 000006
【図６】
0006383230.tif 000007
【図７】
0006383230.tif 000008
【図８】
0006383230.tif 000009
【図９】
0006383230.tif 000010
【図１０】
0006383230.tif 000011